(57)【要約】【課題】簡単に見たいポイントから動画像を再生することができるようにする。【解決手段】映像のフレームｎ−１，ｎ，ｎ＋１には、それぞれ対応するＧＰＳ情報が付加される。例えば、フレームｎが静止画像Ａとして切り出される場合、静止画像Ａが切り出される瞬間のフレームｎには、チャプタが埋め込まれ、フレームｎが静止画像Ａとして切り出される。そして、静止画像Ａが切り出される瞬間のＧＰＳ情報が取得され、静止画像Ａに、そのＧＰＳ情報が付加されて記録される。フレームｎに付加されているＧＰＳ情報の各情報と、静止画像Ａに付加されたＧＰＳ情報の各情報は、誤差も含めて全て同じ値を示す。本発明は、映像録画再生装置に適用することができる。【選択図】図４
2010034763.tif 000002
【特許請求の範囲】
【請求項１】
動画像の記録中または再生中に、前記動画像から静止画像を取得する静止画像取得手段と、
前記動画像のうち、前記静止画像取得手段により前記静止画像が取得されたときの画像またはその少し手前の画像に関する情報を、前記静止画像取得手段により取得された前記静止画像に付加する情報付加手段と、
前記情報付加手段により前記画像に関する情報が付加された前記静止画像を記録する静止画像記録手段と
を備える記録装置。
【請求項２】
ＧＰＳ(Global Positioning System)よりＧＰＳ情報を取得するＧＰＳ情報取得手段と、
前記ＧＰＳ情報取得手段により取得された前記ＧＰＳ情報を前記動画像に付加するＧＰＳ情報付加手段とをさらに備え、
前記動画像に関する情報は、前記ＧＰＳ情報取得手段により取得された前記ＧＰＳ情報である
請求項１に記載の記録装置。
【請求項３】
前記静止画像とともに印刷された前記画像に関する情報を撮像する撮像手段と、
前記撮像手段により撮像された前記画像に関する情報に基づいて、前記動画像のうち、前記静止画像取得手段により前記静止画像が取得されたときの前記画像またはその少し手前の前記画像から再生を行う動画像再生手段とをさらに備える
請求項２に記載の記録装置。
【請求項４】
前記動画像のうち、前記静止画像取得手段により前記静止画像が取得されたときの前記画像またはその少し手前の前記画像に対して区切り情報を埋め込む区切り情報埋込手段をさらに備え、
前記動画像再生手段は、前記撮像手段により撮像された前記画像に関する情報および前記区切り情報埋込手段により前記画像に対して埋め込まれた前記区切り情報に基づいて、前記動画像のうち、前記静止画像取得手段により前記静止画像が取得されたときの前記画像またはその少し手前の前記画像から再生を行う
請求項３に記載の記録装置。
【請求項５】
前記動画像に関する情報は、２次元コードとして、前記静止画像とともに印刷される
請求項３に記載の記録装置。
【請求項６】
前記動画像に関する情報は、電子透かしとして、前記静止画像とともに印刷される
請求項３に記載の記録装置。
【請求項７】
前記情報付加手段により前記画像に関する情報が付加された前記静止画像が選択された場合、前記画像に関する情報に基づいて、前記動画像のうち、前記静止画像取得手段により前記静止画像が取得されたときの前記画像またはその少し手前の前記画像から再生を行う動画像再生手段をさらに備える
請求項２に記載の記録装置。
【請求項８】
前記動画像のうち、前記静止画像取得手段により前記静止画像が取得されたときの前記画像またはその少し手前の前記画像に対して区切り情報を埋め込む区切り情報埋込手段をさらに備える
請求項１に記載の記録装置。
【請求項９】
前記画像に関する情報は、前記区切り情報埋込手段により前記画像に対して埋め込まれる前記区切り情報の位置に関する情報である
請求項８に記載の記録装置。
【請求項１０】
記録装置が、
動画像の記録中または再生中に、前記動画像から静止画像を取得し、
前記動画像のうち、前記静止画像が取得されたときの画像またはその少し手前の画像に関する情報を、前記静止画像に付加し、
前記画像に関する情報が付加された前記静止画像を記録する
ステップを含む記録方法。
【請求項１１】
動画像の記録中または再生中に、前記動画像から静止画像を取得し、
前記動画像のうち、前記静止画像が取得されたときの画像またはその少し手前の画像に関する情報を、前記静止画像に付加し、
前記画像に関する情報が付加された前記静止画像を記録する
ステップを含む処理をコンピュータに実行させるためのプログラム。
【請求項１２】
動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像する撮像手段と、
前記撮像手段により撮像された前記動画像に関する情報に基づいて、前記動画像のうち、前記静止画像が取得されたときの前記画像またはその少し手前の前記画像から再生を行う動画像再生手段と
を備える再生装置。
【請求項１３】
前記動画像に関する情報は、前記動画像に付加されているＧＰＳ(Global Positioning System)情報である
請求項１２に記載の再生装置。
【請求項１４】
前記動画像には、前記静止画像が取得されたときの前記画像またはその少し手前の前記画像に対して区切り情報が埋め込まれており、
前記動画像再生手段は、前記撮像手段により撮像された前記画像に関する情報および前記画像に対して埋め込まれた前記区切り情報に基づいて、前記動画像のうち、前記静止画像が取得されたときの画像またはその少し手前の画像から再生を行う
請求項１３に記載の再生装置。
【請求項１５】
前記動画像再生手段は、前記動画像に関する情報が付加されて記録されている前記静止画像が選択された場合にも、前記動画像のうち、前記静止画像が取得されたときの前記画像またはその少し手前の前記画像から再生を行う
請求項１３に記載の再生装置。
【請求項１６】
前記動画像に関する情報は、２次元コードとして、前記静止画像とともに印刷される
請求項１３に記載の再生装置。
【請求項１７】
前記動画像に関する情報は、電子透かしとして、前記静止画像とともに印刷される
請求項１３に記載の再生装置。
【請求項１８】
前記動画像には、前記静止画像が取得されたときの前記画像またはその少し手前の前記画像に対して区切り情報が埋め込まれており、
前記動画像に関する情報は、区切りの番号である
請求項１２に記載の再生装置。
【請求項１９】
再生装置が、
動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像し、
撮像された前記動画像に関する情報に基づいて、前記動画像のうち、前記静止画像が取得されたときの前記画像またはその少し手前の前記画像から再生を行う
ステップを含む再生方法。
【請求項２０】
動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像し、
撮像された前記動画像に関する情報に基づいて、前記動画像のうち、前記静止画像が取得されたときの前記画像またはその少し手前の前記画像から再生を行う
ステップを含む処理をコンピュータに実行させるためのプログラム。
【発明の詳細な説明】
【技術分野】
【０００１】
本発明は、記録装置および方法、再生装置および方法、並びにプログラムに関し、特に、記録された動画像から、簡単に見たいポイントを探して再生することができるようにした記録装置および方法、再生装置および方法、並びにプログラムに関する。
【背景技術】
【０００２】
近年、小型のビデオカメラにおいては、HDD(Hard Disk Drive)容量が大きくなっており、高画質な動画像を長時間撮ったり、静止画像を数多く撮ることが可能となっている。
【０００３】
また、動画像を撮影中であっても、この場面を写真でも残したいと思った際に、シャッターボタンを押すことで動画像を撮影しながら静止画像も残すといった機能や、動画像を撮影し、後日、その動画像を閲覧中にこの場面を写真でも残したいと思った際に、シャッターボタンを押すことでその場面を静止画像で残すといった機能が搭載されているビデオカメラも多くなってきている。
【０００４】
今後、ますますビデオカメラの小型化、大容量化が進み、さらに長時間の動画像や多くの静止画像が保存されることが期待される。
【０００５】
その際、撮影され、保存された長時間の動画像や多くの静止画像の整理や検索が必要となってくる。例えば、近年の検索技術としては、２次元バーコードなどを用いて、動画像などが記録されているビデオカセットの中から所望のものを検索したり、パーソナルコンピュータ内の処理内容を検索する技術がある（特許文献１および２参照）。
【０００６】
【特許文献１】特開２０００−８２１０７号公報
【特許文献２】特開２００１−２１６７７０号公報
【発明の開示】
【発明が解決しようとする課題】
【０００７】
一般的に静止画像は、ある特定の一瞬のみの時間を切り出すだけなので、撮影した場所にいなかった人でも、比較的素早く自分のペースで閲覧可能であり、自分の気に入った写真をプリンタで印刷して、アルバムに貼り付け、簡単に整理を行うことができる。
【０００８】
しかしながら、動画像は、閲覧するのに撮影時間と同等の時間がかかり、多くの部分に重要ではない部分が含まれている。したがって、特に、撮影した場所にいなかった人は、どの場面がポイントであるのかを見出すことが困難であった。
【０００９】
また、従来の検索技術においても、記憶されている動画像の中から見たいポイントを検索する技術は見当たらなかった。
【００１０】
本発明はこのような状況に鑑みてなされたものであり、記録された動画像から、簡単に見たいポイントを探して再生することができるようにするものである。
【課題を解決するための手段】
【００１１】
本発明の一側面の記録装置は、動画像の記録中または再生中に、前記動画像から静止画像を取得する静止画像取得手段と、前記動画像のうち、前記静止画像取得手段により前記静止画像が取得されたときの画像またはその少し手前の画像に関する情報を、前記静止画像取得手段により取得された前記静止画像に付加する情報付加手段と、前記情報付加手段により前記画像に関する情報が付加された前記静止画像を記録する静止画像記録手段とを備える。
【００１２】
ＧＰＳ(Global Positioning System)よりＧＰＳ情報を取得するＧＰＳ情報取得手段と、前記ＧＰＳ情報取得手段により取得された前記ＧＰＳ情報を前記動画像に付加するＧＰＳ情報付加手段とをさらに備え、前記動画像に関する情報は、前記ＧＰＳ情報取得手段により取得された前記ＧＰＳ情報であることができる。
【００１３】
前記静止画像とともに印刷された前記画像に関する情報を撮像する撮像手段と、前記撮像手段により撮像された前記画像に関する情報に基づいて、前記動画像のうち、前記静止画像取得手段により前記静止画像が取得されたときの前記画像またはその少し手前の前記画像から再生を行う動画像再生手段とをさらに備えることができる。
【００１４】
前記動画像のうち、前記静止画像取得手段により前記静止画像が取得されたときの前記画像またはその少し手前の前記画像に対して区切り情報を埋め込む区切り情報埋込手段をさらに備え、前記動画像再生手段は、前記撮像手段により撮像された前記画像に関する情報および前記区切り情報埋込手段により前記画像に対して埋め込まれた前記区切り情報に基づいて、前記動画像のうち、前記静止画像取得手段により前記静止画像が取得されたときの画像またはその少し手前の画像から再生を行うことができる。
【００１５】
前記動画像に関する情報は、２次元コードとして、前記静止画像とともに印刷される。
【００１６】
前記動画像に関する情報は、電子透かしとして、前記静止画像とともに印刷される。
【００１７】
前記情報付加手段により前記画像に関する情報が付加された前記静止画像が選択された場合、前記画像に関する情報に基づいて、前記動画像のうち、前記静止画像取得手段により前記静止画像が取得されたときの前記画像またはその少し手前の前記画像から再生を行う動画像再生手段をさらに備えることができる。
【００１８】
前記動画像のうち、前記静止画像取得手段により前記静止画像が取得されたときの前記画像またはその少し手前の前記画像に対して区切り情報を埋め込む区切り情報埋込手段をさらに備えることができる。
【００１９】
前記画像に関する情報は、前記区切り情報埋込手段により前記画像に対して埋め込まれる前記区切り情報の位置に関する情報である。
【００２０】
本発明の一側面の記録方法は、記録装置が、動画像の記録中または再生中に、前記動画像から静止画像を取得し、前記動画像のうち、前記静止画像が取得されたときの画像またはその少し手前の画像に関する情報を、前記静止画像に付加し、前記画像に関する情報が付加された前記静止画像を記録するステップを含む。
【００２１】
本発明の一側面のプログラムは、動画像の記録中または再生中に、前記動画像から静止画像を取得し、前記動画像のうち、前記静止画像が取得されたときの画像またはその少し手前の画像に関する情報を、前記静止画像に付加し、前記画像に関する情報が付加された前記静止画像を記録するステップを含む処理をコンピュータに実行させる。
【００２２】
本発明の他の側面の再生装置は、動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像する撮像手段と、前記撮像手段により撮像された前記動画像に関する情報に基づいて、前記動画像のうち、前記静止画像が取得されたときの前記画像またはその少し手前の前記画像から再生を行う動画像再生手段とを備える。
【００２３】
前記動画像に関する情報は、前記動画像に付加されているＧＰＳ(Global Positioning System)情報である。
【００２４】
前記動画像には、前記静止画像が取得されたときの前記画像またはその少し手前の前記画像に対して区切り情報が埋め込まれており、前記動画像再生手段は、前記撮像手段により撮像された前記画像に関する情報および前記画像に対して埋め込まれた前記区切り情報に基づいて、前記動画像のうち、前記静止画像が取得されたときの前記画像またはその少し手前の前記画像から再生を行うことができる。
【００２５】
前記動画像再生手段は、前記動画像に関する情報が付加されて記録されている前記静止画像が選択された場合にも、前記動画像のうち、前記静止画像が取得されたときの前記画像またはその少し手前の前記画像から再生を行うことができる。
【００２６】
前記動画像に関する情報は、２次元コードとして、前記静止画像とともに印刷される。
【００２７】
前記動画像に関する情報は、電子透かしとして、前記静止画像とともに印刷される。
【００２８】
前記動画像には、前記静止画像が取得されたときの前記画像またはその少し手前の前記画像に対して区切り情報が埋め込まれており、前記動画像に関する情報は、区切りの番号である。
【００２９】
本発明の他の側面の再生方法は、再生装置が、動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像し、撮像された前記動画像に関する情報に基づいて、前記動画像のうち、前記静止画像が取得されたときの前記画像またはその少し手前の前記画像から再生を行うステップを含む。
【００３０】
本発明の他の側面のプログラムは、動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報を撮像し、撮像された前記動画像に関する情報に基づいて、前記動画像のうち、前記静止画像が取得されたときの前記画像またはその少し手前の前記画像から再生を行うステップを含む処理をコンピュータに実行させる。
【００３１】
本発明の一側面においては、動画像の記録中または再生中に、前記動画像から静止画像が取得される。そして、前記動画像のうち、前記静止画像が取得されたときの画像またはその少し手前の画像に関する情報が、前記静止画像に付加され、前記画像に関する情報が付加された前記静止画像が記録される。
【００３２】
本発明の他の側面においては、動画像のうち、前記動画像の記録中または再生中に静止画像が取得されたときの画像またはその少し手前の画像に関する情報が前記静止画像に付加されて記録され、記録された前記静止画像とともに印刷されている前記動画像に関する情報が撮像される。そして、撮像された前記動画像に関する情報に基づいて、前記動画像のうち、前記静止画像が取得されたときの前記画像またはその少し手前の前記画像から再生が行われる。
【発明の効果】
【００３３】
本発明の一側面によれば、動画像の記録中または再生中に静止画像を取得することができる。また、本発明によれば、記録された動画像から、簡単に見たいポイントを探して再生することができる。
【００３４】
本発明の他の側面によれば、動画像を再生することができる。また、本発明によれば、記録された動画像から、簡単に見たいポイントを探して再生することができる。
【発明を実施するための最良の形態】
【００３５】
図１は、本発明の一実施形態に係る映像録画再生装置の構成例を示すブロック図である。
【００３６】
図１の映像録画再生装置１１は、例えば、カムコーダなどで構成される。映像録画再生装置１１には、映像データ記録メディア１２や静止画像データ記録メディア１３などが着脱可能であり、必要に応じてプリンタ１４が接続される。
【００３７】
映像録画再生装置１１は、撮像した映像（適宜、動画像とも称する）に対応する映像データを装着される映像データ記録メディア１２に記録したり、映像データから取得される静止画像データを装着される静止画像データ記録メディア１３に記録する。また、映像録画再生装置１１は、静止画像データ記録メディア１３に記録される静止画像データに対応する静止画像を、接続されるプリンタ１４で印刷する。
【００３８】
映像録画再生装置１１は、撮像部２１、撮像データ格納部２２、ＧＰＳデータ取得部２３、入力部２４、映像データ制御部２５、外部出力部２６、表示部２７、映像データエンコード部２８、映像データ記録部２９、映像データデコード部３０、映像データ読出部３１、静止画像データエンコード部３２、静止画像データ記録部３３、静止画像データ読出部３４、静止画像データデコード部３５、および印刷制御部３６により構成される。
【００３９】
撮像部２１には、入射光が入力される。撮像部２１は、内蔵するCCD(Charge Coupled Device)やCMOS(Complementary Metal Oxide Semiconductor)センサなどの撮像素子上に被写体の画像を結像させ、撮像素子上に蓄積された画像データを撮像データ格納部２２に転送する。撮像データ格納部２２は、例えば、半導体メモリなどで構成され、撮像部２１から入力される画像データの複数画像分（複数フレーム分）を一時記憶する。
【００４０】
ＧＰＳ(Global Positioning System)データ取得部２３は、図示せぬアンテナで、アメリカ合衆国が打ち上げた約３０個のＧＰＳ衛星のうち、自己の上空にある数個の衛星からの衛星電波を受け取ることで、現在の日時情報および位置情報（以下、ＧＰＳ情報とも総称する）を取得する。ＧＰＳデータ取得部２３は、取得したＧＰＳ情報を、映像データ制御部２５に転送する。なお、取得されるＧＰＳ情報は、日時情報および位置情報に限らず、他のＧＰＳ情報も取得される。また、映像データ制御部２５は、日時情報や位置情報以外のＧＰＳ情報を処理に用いることもできる。
【００４１】
入力部２４は、操作者からの指示入力を受けて、受け付けた指示内容をデコードし、各種命令を、対応する映像データ制御部２５、映像データ読出部３１、静止画像データ読出部３４、または印刷制御部３６に転送する。
【００４２】
映像データ制御部２５は、撮像データ格納部２２より転送された映像データ、映像データデコード部３０より転送された映像データ、または、静止画像データデコード部３５より転送された静止画像データに所定の画像処理を行い、その後、外部出力部２６または表示部２７に転送する。
【００４３】
入力部２４より映像記録命令を受け取った場合、映像データ制御部２５は、撮像データ格納部２２からの映像データに所定の画像処理を行った後、ＧＰＳデータ取得部２３より転送されたＧＰＳ情報を付加して、映像データエンコード部２８に転送する。また、入力部２４より映像記録終了命令を受け取った場合、映像データ制御部２５は、映像データエンコード部２８への映像データの転送を終了する。
【００４４】
入力部２４より静止画像切り出し命令を受信した場合、映像データ制御部２５は、映像データから、静止画像を取得する。すなわち、映像データ制御部２５は、映像データから、静止画像切り出し命令を受けた瞬間の画像（フレーム）を静止画像として切り出す。また、映像データ制御部２５は、静止画像として切り出された瞬間の画像、あるいは、その数秒後の画像を特定するための画像に関する情報を、静止画像データエンコード部３２に送信する。なお、以下、切り出された瞬間の画像、あるいは、その数秒後の画像を適宜、切り出し元の画像と総称する。
【００４５】
例えば、切り出し元の画像に関する情報としては、映像データに付加されるＧＰＳ情報、静止画像を切り出す際に映像データに埋め込まれるチャプタの位置情報などがある。なお、この情報により、映像中から、静止画像の切り出し元の画像を特定することができる情報であれば、他の情報であってもよい。
【００４６】
外部出力部２６は、HDMI(High-Definition Multimedia Interface)などのインタフェースを含み、接続されるテレビジョン受信機などの外部出力機器に対して、映像データ制御部２５からの映像データを出力する。
【００４７】
表示部２７は、液晶パネルなど装置内に内蔵される表示装置であり、映像データ制御部２５からの映像データに対応する映像や静止画像データに対応する静止画像を表示する。
【００４８】
映像データエンコード部２８は、映像データ制御部２５より転送された映像データなどをMPEG(Moving Picture Experts Group)などの映像フォーマットに符号化し、符号化された映像データを映像データ記録部２９に転送する。
【００４９】
映像データ記録部２９は、映像データ記録メディア１２に対して、映像データエンコード部２８からの映像データを記録する。なお、映像データ記録部２９に、ネットワークインタフェースを内蔵させて、外部サーバ上のディスクに対して記録を行うようにしてもよい。
【００５０】
映像データデコード部３０は、MPEGなどに符号化された映像データの復号を行い、復号された映像データを映像データ制御部２５に転送する。
【００５１】
映像データ読出部３１は、入力部２４より映像再生命令を受け取ると、映像データ記録メディア１２から映像データの読み出しを行い、映像データデコード部３０に転送する。また、入力部２４より映像再生終了命令を受け取った場合、映像データ読出部３１は、映像データの読み出しを終了する。
【００５２】
静止画像データエンコード部３２には、映像データ制御部２５から、静止画像データおよび静止画像の切り出し元の画像に関する情報が転送される。静止画像データエンコード部３２は、切り出し元の画像に関する情報を、静止画像データに付加して、その情報が付加された静止画像データを符号化する。具体的には、静止画像データエンコード部３２は、切り出し元の画像に関する情報を、EXIF(Exchangeable Image File Format)形式にて静止画像データに埋め込みつつ、JPEG(Joint Photographic Experts Group)などの画像フォーマットに符号化する。静止画像データエンコード部３２は、符号化された静止画像データを静止画像データ記録部３３に転送する。
【００５３】
静止画像データ記録部３３は、静止画像データ記録メディア１３に対して、静止画像データエンコード部３２より転送された静止画像データを記録する。なお、静止画像データ記録部３３に、ネットワークインタフェースを内蔵させて、外部サーバ上のディスクに対して記録を行うようにしてもよい。また、図１の例においては、映像データ記録部２９と静止画像データ記録部３３により書き込みが行われるメディアをそれぞれ分けて説明したが、１つの映像データ記録メディア１２で兼ねることもできる。
【００５４】
静止画像データ読出部３４は、入力部２４より静止画像再生命令を受け取ると、静止画像データ記録メディア１３から静止画像データの読み出しを行い、静止画像データデコード部３５に転送する。
【００５５】
静止画像データデコード部３５は、JPEGなどに符号化された静止画像データを復号し、静止画像データに付加された静止画像の切り出し元の画像に関する情報（以下、付加データとも称する）の取り出しを行う。静止画像データデコード部３５は、表示部２７などに表示すべき静止画像データを、映像データ制御部２５に転送し、印刷対象となる静止画像データと付加データを印刷制御部３６に転送する。
【００５６】
印刷制御部３６は、静止画像データデコード部３５より転送された静止画像データに付加されている付加データを、ＱＲコード、サイバーコードなどの２次元コード、または電子透かしとして静止画像データに埋め込む。印刷制御部３６は、付加データが埋め込まれた静止画像データを、接続されるプリンタ１４に転送して、写真台紙に対して印刷させる。
【００５７】
映像データ記録メディア１２および静止画像データ記録メディア１３は、例えば、DVD(Digital Versatile Disk)やBlu-ray Discなどの光ディスクなど比較的容量が大きいメディアで構成される。なお、図１の例において映像データ記録メディア１２および静止画像データ記録メディア１３は、着脱可能な光ディスクで構成されるとしたが、映像録画記録装置１１に内蔵されるハードディスクなどの磁気ディスクや半導体メモリなどで構成することも可能である。
【００５８】
プリンタ１４は、印刷制御部３６より転送された静止画像データを、写真台紙に対して印刷する。これにより、例えば、電子透かしが重畳された静止画像が写真として印刷される。
【００５９】
図２は、図１の映像データ制御部２５の詳細な構成例を表している。
【００６０】
図２の例において、映像データ制御部２５は、映像データ受信部５１、映像データ格納部５２、ＧＰＳデータ受信部５３、ＧＰＳデータ格納部５４、入力データ受信部５５、および入力データ格納部５６を備える。また、映像データ制御部２５は、映像データ信号処理部５７、チャプタ情報埋込部５８、静止画像データ切り出し部５９、付加データ抽出部６０、映像データ格納部６１乃至６３、および映像データ送信部６４乃至６６を備える。さらに、映像データ制御部２５は、付加データデコード部６７、静止画像データ格納部６８、静止画像データ送信部６９、付加データ格納部７０、および付加データ送信部７１を備える。
【００６１】
映像録画再生装置１１は、機能モードとして、映像記録（録画）モード、映像再生モード、静止画像による映像再生モード、静止画像再生モード、印刷モード、および待機モードなどを有する。
【００６２】
映像データ受信部５１は、映像記録モード時または静止画像による映像再生モード時に、撮像データ格納部２２より、撮像部２１が取得した映像データを受信する。また、映像データ受信部５１は、映像再生モード時に、映像データデコード部３０により復号された映像データを受信し、静止画像再生モード時に、静止画像データデコード部３５により復号された静止画像データを受信する。映像データ受信部５１は、受信した映像データ（静止画像データを含む）を、映像データ格納部５２に転送する。
【００６３】
映像データ格納部５２は映像データ受信部５１より映像データを受信し、数フレーム分の映像データを格納し、映像データを映像データ信号処理部５７および静止画像データ切り出し部５９に転送する。
【００６４】
ＧＰＳデータ受信部５３は、ＧＰＳデータ取得部２３からのＧＰＳ情報（日時情報および位置情報）を受信し、受信したＧＰＳ情報をＧＰＳデータ格納部５４に転送する。ＧＰＳデータ格納部５４は、ＧＰＳデータ受信部５３からのＧＰＳ情報を所定の時間分格納する。ＧＰＳデータ格納部５４は、入力データ格納部５６より静止画像切り出し命令を受信した場合、静止画像切り出し命令を受信した瞬間、もしくは数秒手前のＧＰＳ情報を、付加データ抽出部６０に転送する。
【００６５】
入力データ受信部５５は、入力部２４より、操作者からの指示入力に対応する各種命令を受信し、受信した各種命令を入力データ格納部５６に転送する。入力データ格納部５６は、入力データ受信部５５からの一定時間内に受信した各種命令を１つ以上格納し、ＧＰＳデータ格納部５４、チャプタ情報埋込部５８、静止画像データ切り出し部５９、および付加データ抽出部６０、または映像データ送信部６６に転送する。
【００６６】
映像データ信号処理部５７は、映像データ格納部５２からの映像データを、解像度変換や補正など、データ出力先に応じた所定の画像信号処理を行い、対応する映像データ格納部６１乃至６３に転送する。その際、映像記録モード時には、映像データ信号処理部５７は、ＧＰＳデータ格納部５４に格納されているＧＰＳ情報を映像データに対して付加する（埋め込む）。また、映像データ信号処理部５７は、チャプタ情報埋込部５８よりチャプタ埋め込み命令を受信した場合、指定された映像のタイミングにチャプタを埋め込む。
【００６７】
静止画像による映像再生モード時、映像データ信号処理部５７は、画像に埋め込まれ、写真に印刷された２次元コードや電子透かしをデコードするために、撮像部２１により撮像された映像データを付加データデコード部６７に転送する。
【００６８】
チャプタ情報埋込部５８は、入力データ格納部５６より静止画像切り出し命令を受信した場合、映像データ信号処理部５７に対して、静止画像切り出し命令を受信した瞬間、もしくは数秒手前の映像データに対してチャプタを埋め込むように、チャプタ埋め込み命令を送信する。
【００６９】
静止画像データ切り出し部５９は、入力データ格納部５６より静止画像切り出し命令を受信した場合、映像データ格納部５２より転送された映像データから、静止画像切り出し命令を受信した瞬間の映像信号１フレームを静止画像として切り出す。切り出された静止画像データは、静止画像データ格納部６８に転送される。
【００７０】
付加データ抽出部６０は、入力データ格納部５６より静止画像切り出し命令を受信した場合、ＧＰＳデータ格納部５４より、静止画像切り出し命令を受信した瞬間、もしくは数秒手前のＧＰＳ情報を、静止画像データに付加するデータ（静止画像の切り出し元の画像を特定するための画像に関する情報）として受け取る。受け取った付加データは、付加データ格納部７０に転送される。
【００７１】
映像データ格納部６１乃至６３は、それぞれ、映像データ信号処理部５７により処理された映像データを数フレーム分格納し、映像データ送信部６４乃至６６に転送する。
【００７２】
映像データ送信部６４乃至６６は、それぞれ、映像データ信号処理部５７により処理された映像データを、対応する映像データ格納部６１乃至６３から受信する。映像データ送信部６４は、外部出力部２６に対して、映像データ送信部６５は、表示部２７に対して、映像データの送信を行う。映像データ送信部６６は、入力データ格納部５６から映像記録命令を受信した場合、映像データを映像データエンコード部２８に送信する。
【００７３】
付加データデコード部６７は、映像データ信号処理部５７からの映像データ内に含まれるＱＲコード、サイバーコードなどの２次元コード、または電子透かしを復号する。これにより、付加データデコード部６７は、静止画像が印刷され、その印刷物（写真）が撮像部２１により撮影されたものである映像データから、静止画像の切り出し先の画像に関する情報を取得する。復号された画像に関する情報は、映像データ読出部３１に転送される。
【００７４】
静止画像データ格納部６８は、静止画像データ切り出し部５９より転送された静止画像データを１枚以上一時的に格納し、静止画像データ送信部６９に転送する。静止画像データ送信部６９は、静止画像データ格納部６８からの静止画像データを受信し、静止画像データエンコード部３２に送信する。
【００７５】
付加データ格納部７０は、付加データ抽出部６０からの付加データを一時格納し、付加データ送信部７１に転送する。付加データ送信部７１は、付加データ格納部７０より転送された付加データを、静止画像データエンコード部３２に送信する。
【００７６】
次に、映像録画再生装置１１の動作について説明する。操作者が映像録画再生装置１１の図示せぬ録画開始ボタンを押すと、これに対応して、入力部２４から映像記録命令が発行され、映像録画再生装置１１の機能モードは、映像記録モードに切り替わる。
【００７７】
この映像記録命令により、映像データ受信部５１には、撮像部２１により蓄積され、撮像データ格納部２２に格納された映像データが受信される。受信された映像データは、映像データ格納部５２を介して、映像データ信号処理部５７に転送される。映像データ信号処理部５７は、映像データ格納部５２からの映像データに、ＧＰＳデータ格納部５４に格納されているＧＰＳ情報を付加する。このとき、ＧＰＳ情報の代わりに、内蔵されるクロックの日時情報を付加することもできる。
【００７８】
ＧＰＳ情報が付加された映像データは、所定の画像処理が行われ、その後、映像データ格納部６３、映像データ送信部６６を介して、映像データエンコード部２８に転送され、符号化される。符号化された映像データは、映像データ記録部２９に転送され、映像データ記録メディア１２に記録される。このとき、ＧＰＳ情報が付加された映像データは、例えば、映像データ格納部６２および映像データ送信部６５を介して、表示部２７にも転送され、対応する映像が表示部２７に表示される。これにより、操作者は、記録中の映像の確認を行うことができる。
【００７９】
また、操作者が表示されるメニューから見たい映像を選択し、映像録画再生装置１１の図示せぬ再生ボタンを押すと、これに対応して、入力部２４から映像再生命令が発行され、映像録画再生装置１１の機能モードは、映像再生モードに切り替わる。
【００８０】
この映像再生命令により、映像データ記録メディア１２に記録されている映像データは、映像データ読出部３１により読み出され、映像データデコード部３０においてデコードされて、映像データ受信部５１および映像データ格納部５２を介して、映像データ信号処理部５７に転送される。
【００８１】
映像データ信号処理部５７は、デコードされた映像データを、映像データ格納部６２および映像データ送信部６５を介して、表示部２７に転送し、対応する映像が表示部２７に表示される。また、映像データ信号処理部５７は、デコードされた映像データを、映像データ格納部６１および映像データ送信部６４を介して、外部出力部２６に転送し、対応する映像が外部出力部２６を介して接続される、図示せぬ表示装置に表示される。
【００８２】
さらに、操作者が映像録画再生装置１１の図示せぬモードスイッチを静止画像再生モードに切り替える。これに対応して、入力部２４から静止画像再生命令が発行され、映像録画再生装置１１の機能モードは、静止画像再生モードに切り替わる。
【００８３】
この静止画像再生命令により、静止画像データ記録メディア１３に記録されている静止画像データは、静止画像データ読出部３４により読み出され、静止画像データデコード部３５においてデコードされて、映像データ受信部５１および映像データ格納部５２を介して、映像データ信号処理部５７に転送される。
【００８４】
映像データ信号処理部５７は、デコードされた静止画像データを、映像データ格納部６２および映像データ送信部６５を介して、表示部２７に転送し、対応する静止画像が表示部２７に表示される。また、映像データ信号処理部５７は、デコードされた静止画像データを、映像データ格納部６１および映像データ送信部６４を介して、外部出力部２６に転送し、対応する静止画像が外部出力部２６を介して接続される、図示せぬ表示装置に表示される。
【００８５】
次に、図３のフローチャートを参照して、映像録画再生装置１１の映像データ記録処理について説明する。
【００８６】
操作者は、映像（動画像）を撮ろうと、映像録画再生装置１１の図示せぬ録画開始ボタンを押す。これに対応して、入力部２４から映像記録命令が発行され、映像録画再生装置１１の機能モードは、映像記録モードに切り替わり、図３の処理が開始される。
【００８７】
入力部２４からの映像記録命令により、ステップＳ１１において、映像録画再生装置１１の対応する各部は、撮像部２１により撮り込まれた映像データを映像データ記録メディア１２に記録する。
【００８８】
すなわち、撮像部２１により蓄積され、撮像データ格納部２２に格納された映像データが映像データ受信部５１に受信され、映像データ格納部５２を介して、映像データ信号処理部５７に転送される。映像データ信号処理部５７においてＧＰＳ情報が付加された映像データは、映像データ格納部６３、映像データ送信部６６を介して、映像データエンコード部２８に転送され、符号化される。符号化された映像データは、映像データ記録部２９に転送され、映像データ記録メディア１２に記録される。
【００８９】
操作者は、映像録画再生装置１１の図示せぬ録画終了ボタンを押す。これに対応して、入力部２４から映像記録終了命令が発行される。
【００９０】
ステップＳ１２において、映像録画再生装置１１の対応する各部は、映像データの記録を終了するか否かを判定し、入力部２４からの映像記録終了命令により、映像データの記録を終了すると判定した場合、映像データ記録処理を終了する。
【００９１】
一方、映像記録終了命令が発行されず、ステップＳ１２において、映像データの記録を終了しないと判定された場合、処理は、ステップＳ１３に進み、静止画像の記録を行うか否かが判定される。静止画像切り出し命令が発行されず、ステップＳ１３において、静止画像の記録を行わないと判定された場合、処理は、ステップＳ１１に戻り、それ以降の処理が繰り返される。
【００９２】
また、操作者は、映像記録中に気に入った場面があり、その場面を静止画像として撮ろうと、映像録画再生装置１１の図示せぬ静止画像取得用シャッターボタンを押す。これに対応して、入力部２４から静止画像切り出し命令が発行される。
【００９３】
入力部２４からの静止画像切り出し命令は、入力データ受信部５５および入力データ格納部５６を介して、ＧＰＳデータ格納部５４、チャプタ情報埋込部５８、静止画像データ切り出し部５９、および付加データ抽出部６０に転送される。
【００９４】
ステップＳ１３において静止画像の記録を行うと判定された場合、処理は、ステップＳ１４に進む。ステップＳ１４において、チャプタ情報埋込部５８は、静止画像切り出し命令が発行された瞬間、もしくはその数秒手前の映像データに対して、チャプタ（区切り情報）を埋め込む。
【００９５】
具体的には、チャプタ情報埋込部５８は、映像データ信号処理部５７に対して、静止画像切り出し命令を受信した瞬間、もしくは数秒手前の映像データに対してチャプタを埋め込むように、チャプタ埋め込み命令を送信する。これに対応して、チャプタ情報埋込部５８よりチャプタ埋め込み命令を受信すると、映像データ信号処理部５７は、指定された映像のタイミングにチャプタを埋め込む。
【００９６】
ステップＳ１５において、静止画像データ切り出し部５９は、静止画像切り出し命令を受信した瞬間の映像信号１フレームを静止画像として切り出す。切り出された静止画像データは、静止画像データ格納部６８および静止画像データ送信部６９を介して、静止画像データエンコード部３２に転送される。
【００９７】
ステップＳ１６において、付加データ抽出部６０は、ステップＳ１５において切り出された静止画像の切り出し元の画像に関する情報を取得する。すなわち、付加データ抽出部６０は、ＧＰＳデータ格納部５４より、静止画像切り出し命令を受信した瞬間、もしくは数秒手前のＧＰＳ情報を、静止画像データに付加するデータ（静止画像の切り出し元の画像に関する情報）として取得する。取得されたＧＰＳ情報は、付加データ格納部７０および付加データ送信部７１を介して、静止画像データエンコード部３２に転送される。
【００９８】
ステップＳ１７において、静止画像データエンコード部３２は、ＧＰＳ情報をEXIF形式に変換して、静止画像データに付加し、静止画像データ記録部３３は、ＧＰＳ情報が付加された静止画像データを、静止画像データ記録メディア１３に記録する。その後、処理は、ステップＳ１１に戻り、それ以降の処理が繰り返される。
【００９９】
ここで、図４を参照して、上述したステップＳ１４乃至Ｓ１７の処理を具体的に説明する。
【０１００】
図４の例においては、映像のフレームｎ−１，フレームｎ，およびフレームｎ＋１が示されている。フレームｎ−１，フレームｎ，およびフレームｎ＋１には、それぞれ対応するＧＰＳ情報が付加される。なお、映像記録中の場合には、並行で映像データにＧＰＳ情報が付加されるが、再生中の場合には、すでに映像データにＧＰＳ情報が付加されている。
【０１０１】
例えば、フレームｎが静止画像Ａとして切り出される場合、ステップＳ１４において、静止画像Ａが切り出される瞬間のフレームｎには、チャプタが埋め込まれ、ステップＳ１５において、フレームｎが、静止画像Ａとして切り出される。そして、ステップＳ１６において、静止画像Ａが切り出される瞬間のＧＰＳ情報が取得され、ステップＳ１７において、静止画像Ａに、そのＧＰＳ情報が付加されて、記録される。
【０１０２】
このとき、フレームｎに付加されているＧＰＳ情報の各情報（例えば、日時、緯度、経度、高度、受信衛星情報など）と、静止画像Ａに付加されたＧＰＳ情報の各情報（例えば、日時、緯度、経度、高度、受信衛星情報など）は、解析の際の誤差も含めて全て同じ値を示す。すなわち、ＧＰＳ情報は、唯一無二の情報であると言える。
【０１０３】
したがって、静止画像Ａの切り出し元のフレームｎから再生をしたい場合には、静止画像ＡのＧＰＳ情報と同じＧＰＳ情報が付加されているフレームを検索することで、映像の所望の位置からの再生を簡単に行うことができる。
【０１０４】
また、その検索の際、チャプタが埋め込まれたフレームのみを検索対象とすることで、全フレームを検索対象とした場合にかかってしまう処理の負荷を軽減し、高速に検索を行うことができる。
【０１０５】
なお、静止画像に付加するＧＰＳ情報はすべての情報でなくてもよく、例えば、位置情報だけや、日時情報だけであってもよい。
【０１０６】
また、チャプタの埋め込みと静止画像に付加されるＧＰＳ情報の取得は、静止画像が切り出される瞬間とした場合、所望の位置（画像）から映像を再生することができるが、静止画像が切り出される瞬間の少し手前（例えば、２，３秒、５秒、または１０秒など）とすることで、所望の位置（画像）の少し手前前から映像を再生することができる。この場合、再生直後に見たい所望の位置を見逃すことを防ぐことができる。なお、少し手前とは、数秒だけに限らず、十数秒、または数十秒手前とすることもできる。
【０１０７】
以上のように、映像録画再生装置１１においては、映像データを記録中に、静止画像切り出し命令が発行された瞬間、もしくはその少し（数秒）手前の画像を特定する情報として、その画像に付加されるＧＰＳ情報が、切り出した静止画像データに付加される。これにより、動画像よりも検索しやすい静止画像を選ぶだけで、静止画像に付加されたＧＰＳ情報を基に、記録されている映像の中から、所望の映像の位置（静止画像に対応する映像の位置）を簡単に検索することができる。
【０１０８】
また、静止画像切り出し命令が発行された瞬間、もしくはその数秒手前の映像データに対してチャプタを埋め込むようにしたので、記録されている映像の中から、所望の映像の位置を簡単に、しかも、高速に検索することができる。
【０１０９】
次に、図５のフローチャートを参照して、映像録画再生装置１１の映像データ再生処理について説明する。なお、図５のステップＳ３４乃至Ｓ３７は、図３のステップＳ１４乃至Ｓ１７と基本的に同様の処理を行うため、その詳細な説明は繰り返しになるので省略する。
【０１１０】
例えば、操作者は、録画済みの映像を見ようと、映像録画再生装置１１を、図示せぬテレビジョン装置にHDMIケーブルで接続し、テレビジョン装置の表示部に表示されるメニューから見たい映像を選択し、映像録画再生装置１１の図示せぬ再生開始ボタンを押す。これに対応して、入力部２４から映像再生命令が発行され、映像録画再生装置１１の機能モードは、映像再生モードに切り替わり、図５の処理が開始される。
【０１１１】
入力部２４からの映像再生命令により、ステップＳ３１において、映像録画再生装置１１の対応する各部は、映像データ記録メディア１２に記録されている映像データを再生する。
【０１１２】
すなわち、映像データ記録メディア１２に記録されている映像データは、映像データ読出部３１により読み出され、映像データデコード部３０においてデコードされて、映像データ受信部５１および映像データ格納部５２を介して、映像データ信号処理部５７に転送される。デコードされた映像データは、映像データ信号処理部５７により、映像データ格納部６１および映像データ送信部６４を介して、外部出力部２６に転送され、対応する映像が外部出力部２６を介して接続される、テレビジョン装置の表示部に表示される。
【０１１３】
操作者は、映像録画再生装置１１の図示せぬ再生終了ボタンを押す。これに対応して、入力部２４から映像再生終了命令が発行される。
【０１１４】
ステップＳ３２において、映像録画再生装置１１の対応する各部は、映像データの再生を終了するか否かを判定し、入力部２４からの映像再生終了命令により、映像データの再生を終了すると判定した場合、映像データ再生処理を終了する。
【０１１５】
一方、映像再生終了命令が発行されず、ステップＳ３２において、映像データの再生を終了しないと判定された場合、処理は、ステップＳ３３に進み、静止画像の記録を行うか否かが判定される。静止画像切り出し命令が発行されず、ステップＳ３３において、静止画像の記録を行わないと判定された場合、処理は、ステップＳ３１に戻り、それ以降の処理が繰り返される。
【０１１６】
また、操作者は、映像の再生中に気に入った場面があり、その場面を静止画像として撮ろうと、映像録画再生装置１１の図示せぬ静止画像取得用シャッターボタンを押す。これに対応して、入力部２４から静止画像切り出し命令が発行される。
【０１１７】
入力部２４からの静止画像切り出し命令は、入力データ受信部５５および入力データ格納部５６を介して、ＧＰＳデータ格納部５４、チャプタ情報埋込部５８、静止画像データ切り出し部５９、および付加データ抽出部６０に転送される。
【０１１８】
ステップＳ３３において静止画像の記録を行うと判定された場合、処理は、ステップＳ３４に進む。ステップＳ３４において、チャプタ情報埋込部５８は、静止画像切り出し命令が発行された瞬間、もしくはその数秒手前の映像データに対して、チャプタを埋め込む。
【０１１９】
具体的には、チャプタ情報埋込部５８は、映像データ信号処理部５７に対して、静止画像切り出し命令を受信した瞬間、もしくは数秒手前の映像データに対してチャプタを埋め込むように、チャプタ埋め込み命令を送信する。これに対応して、チャプタ情報埋込部５８よりチャプタ埋め込み命令を受信すると、映像データ信号処理部５７は、指定された映像のタイミングにチャプタを埋め込む。
【０１２０】
ステップＳ３５において、静止画像データ切り出し部５９は、静止画像切り出し命令を受信した瞬間の映像信号１フレームを静止画像として切り出す。切り出された静止画像データは、静止画像データ格納部６８および静止画像データ送信部６９を介して、静止画像データエンコード部３２に転送される。
【０１２１】
ステップＳ３６において、付加データ抽出部６０は、ステップＳ３５において切り出された静止画像の切り出し元の画像に関する情報を取得する。すなわち、付加データ抽出部６０は、ＧＰＳデータ格納部５４より、静止画像切り出し命令を受信した瞬間、もしくは数秒手前のＧＰＳ情報を、静止画像データに付加するデータ（静止画像の切り出し元の画像に関する情報）として取得する。取得されたＧＰＳ情報は、付加データ格納部７０および付加データ送信部７１を介して、静止画像データエンコード部３２に転送される。
【０１２２】
なお、付加データ抽出部６０は、静止画像の切り出し元の画像に関する情報として、上述したＧＰＳ情報に限らず、映像データ格納部５２の映像データから、映像データに記録時に付加された（例えば、記録した映像録画再生装置１１の内部のクロックによる）日時情報を取得して、それを静止画像に付加することもできる。なお、映像データ記録時など、映像データ信号処理部５７でその日時情報が映像データに付加される場合には、映像データ信号処理部５７から、もしくは、内部のクロックから直接日時情報を取得してもよい。
【０１２３】
また、チャプタ情報埋込部５８がチャプタ埋め込み命令を発行する際に、チャプタを埋め込む位置を示す信号（例えば、チャプタ番号など）も発行して、それをチャプタとして埋め込むようにするとともに、その信号を静止画像の切り出し元の画像に関する情報として取得し、静止画像に付加することもできる。
【０１２４】
ステップＳ３７において、静止画像データエンコード部３２は、ＧＰＳ情報をEXIF形式に変換して、静止画像データに付加し、ＧＰＳ情報が付加された静止画像データを、静止画像データ記録メディア１３に記録する。
【０１２５】
以上のように、映像録画再生装置１１においては、映像データを再生中にも、静止画像切り出し命令が発行された瞬間、もしくはその数秒手前の画像を特定する情報として、ＧＰＳ情報が、切り出した静止画像データに付加される。これにより、静止画像を基に映像データを再生する際に、静止画像に付加されたＧＰＳ情報を基に、記録されている映像の中から、所望の映像の位置を簡単に検索することができる。
【０１２６】
なお、上記説明においては、切り出し元の画像に関する情報を、静止画像のEXIFに付加するようにしたが、画像データが、JPEGなどEXIFを埋め込むフォーマットでない場合には、コメントを書き込むエリアなどに埋め込まれる。
【０１２７】
また、以上においては、映像データの記録中または再生中に静止画像を記録し、チャプタを埋め込む例を説明したが、例えば、映像データへのチャプタ埋め込み処理に時間がかかり、リアルタイム処理が困難な場合には、次に、図６を参照して後述するように、映像録画再生装置１１の待機時にチャプタを埋め込ませることもできる。
【０１２８】
図６は、映像録画再生装置１１の待機時チャプタ埋め込み処理の例を説明するフローチャートである。この場合、待機モードとなる前に、ステップＳ１４を除いた図３の処理、またはステップＳ３４を除いた図５の処理が行われている。
【０１２９】
例えば、操作者は、映像録画再生装置１１の図示せぬモードスイッチを待機モードに切り替える。これに対応して、入力部２４から待機命令が発行され、映像録画再生装置１１の機能モードは、待機モードに切り替わる。または、一定期間、映像録画再生装置１１に対して操作が行われなかった場合、映像録画再生装置１１の機能モードは、待機モードに切り替わり、図６の処理が開始される。
【０１３０】
ステップＳ５１において、静止画像データ読出部３４は、静止画像データ記録メディア１３に記録されている静止画像を１枚選択し、読み出す。このとき、既に選択済みの静止画像については、それを示すフラグを静止画像内に埋め込んだり、別のファイルで選択済みの静止画像リストなどを記憶させておくと、効率よく処理を行うことができる。
【０１３１】
ステップＳ５２において、静止画像データデコード部３５は、ステップＳ５１で選択された静止画像に付加データがあるか否かを判定する。すなわち、静止画像に切り出し元の画像に関する情報が付加されているか否かが判定される。ステップＳ５２において、静止画像に付加データがあると判定された場合、静止画像データデコード部３５は、ステップＳ５３において、静止画像の付加データをデコードする。
【０１３２】
デコードされた付加データは、映像データ受信部５１、映像データ格納部５２を介して、映像データ信号処理部５７に転送される。一方、映像データ記録メディア１２から映像データ読出部３１により読み出された映像データは、映像データデコード部３０によりデコードされて、映像データ受信部５１、映像データ格納部５２を介して、映像データ信号処理部５７に転送される。
【０１３３】
映像データ信号処理部５７は、ステップＳ５４において、静止画像の付加データと同じ付加データを有するフレームを検索し、ステップＳ５５において、フレームを検出したか否かを判定する。例えば、静止画像のＧＰＳ情報と同じＧＰＳ情報を有するフレームがあった場合、映像データ信号処理部５７は、ステップＳ５６において、検出されたフレームに対して、チャプタを埋め込む。
【０１３４】
一方、ステップＳ５２において、付加データがないと判定された場合、ステップＳ５３乃至Ｓ５６の処理はスキップされて、処理は、ステップＳ５７に進む。また、ステップＳ５５において、フレームを検出していないと判定された場合、ステップＳ５６の処理はスキップされて、処理は、ステップＳ５７に進む。
【０１３５】
ステップＳ５７において、映像録画再生装置１１の対応する各部は、待機モードを終了するか否かを判定する。入力部２４から待機命令以外の命令が発行された場合、ステップＳ５７において、待機モードを終了すると判定されて、待機時チャプタ埋め込み処理は終了される。
【０１３６】
ステップＳ５７において、待機モードを終了しないと判定された場合、処理は、ステップＳ５１に戻り、それ以降の処理が繰り返される。
【０１３７】
以上のように、映像録画再生装置１１においては、待機モード中に、映像データへのチャプタ埋め込みが行われる。これにより、映像データ記録または再生時に静止画像の記録を行ったとしても、チャプタ埋め込みによる処理の負荷の影響を軽減することができるので、スムーズな記録再生処理を行うことができる。
【０１３８】
次に、図７のフローチャートを参照して、映像録画再生装置１１の静止画像データの再生処理について説明する。
【０１３９】
例えば、操作者は、記録済みの静止画像を見ようと、映像録画再生装置１１を、図示せぬテレビジョン装置にHDMIケーブルで接続し、映像録画再生装置１１の図示せぬモードスイッチを、静止画像再生モードに切り替える。これに対応して、入力部２４から静止画像再生命令が発行され、映像録画再生装置１１の機能モードは、静止画像再生モードに切り替わり、図７の処理が開始される。
【０１４０】
ステップＳ７１において、静止画像データ読出部３４は、静止画像データ記録メディア１３を検索し、静止画像データ記録メディア１３に静止画像データがあるか否かを判定する。ステップＳ７１において、静止画像データ記録メディア１３に静止画像データがないと判定された場合、静止画像データ再生処理は終了される。
【０１４１】
ステップＳ７１において、静止画像データ記録メディア１３に静止画像データがあると判定された場合、処理は、ステップＳ７２に進む。
【０１４２】
ステップＳ７２において、映像録画再生装置１１の対応する各部は、静止画像データ記録メディア１３に記録されている静止画像データに対応する静止画像の一覧を、テレビジョン装置の表示部に表示する。
【０１４３】
すなわち、静止画像データ記録メディア１３に記録されている映像データは、静止画像データ読出部３４により読み出され、静止画像データデコード部３５においてそのサムネイル画像がデコードされて、映像データ受信部５１および映像データ格納部５２を介して、映像データ信号処理部５７に転送される。
【０１４４】
映像データ信号処理部５７は、デコードされた静止画像データのサムネイル画像の一覧を作成し、作成したサムネイル画像の一覧のデータを、映像データ格納部６１および映像データ送信部６４を介して、外部出力部２６に転送する。これにより、対応するサムネイル画像の一覧が、外部出力部２６を介して接続される、図示せぬ表示装置に表示される。
【０１４５】
操作者は、映像録画再生装置１１の図示せぬ静止画像再生終了ボタンを押す。これに対応して、入力部２４から静止画像再生終了命令が発行される。
【０１４６】
ステップＳ７３において、映像録画再生装置１１の対応する各部は、静止画像データの再生を終了するか否かを判定し、入力部２４からの静止画像再生終了命令により、静止画像データの再生を終了すると判定した場合、静止画像データの再生処理を終了する。
【０１４７】
一方、静止画像再生終了命令が発行されず、ステップＳ７３において、静止画像データの再生を終了しないと判定された場合、処理は、ステップＳ７４に進み、静止画像を選択したか否かが判定される。静止画像選択命令が発行されず、ステップＳ７４において、静止画像を選択したと判定されなかった場合、処理は、ステップＳ７２に戻り、それ以降の処理が繰り返される。
【０１４８】
操作者は、テレビジョン装置の表示部に表示された静止画像の一覧を見て、映像録画再生装置１１の図示せぬ十字キーや決定ボタンを操作して、１枚の静止画像を選択する。これに対応して、入力部２４から静止画像選択命令が発行される。
【０１４９】
静止画像選択命令により、ステップＳ７４において、静止画像を選択したと判定された場合、処理は、ステップＳ７５に進み、選択された静止画像が図示せぬ表示装置に表示される。
【０１５０】
すなわち、選択された静止画像に対応する静止画像データは、静止画像データ読出部３４により静止画像データ記録メディア１３から読み出され、静止画像データデコード部３５においてデコードされて、映像データ受信部５１および映像データ格納部５２を介して、映像データ信号処理部５７に転送される。
【０１５１】
映像データ信号処理部５７は、デコードされた静止画像データを、映像データ格納部６１および映像データ送信部６４を介して、外部出力部２６に転送する。これにより、対応する静止画像が、外部出力部２６を介して接続される、図示せぬ表示装置に表示される。
【０１５２】
ステップＳ７５の後、処理は、ステップＳ７６に進み、静止画像の表示を終了するか否かが判定される。ステップＳ７６において静止画像の表示を終了しないと判定された場合、処理は、ステップＳ７５に戻り、それ以降の処理が繰り返される。
【０１５３】
操作者は、映像録画再生装置１１の図示せぬ戻るボタンを押す。これに対応して、入力部２４から静止画像表示終了命令が発行される。静止画像表示終了命令により、ステップＳ７６において、静止画像の表示を終了すると判定された場合、処理は、ステップＳ７２に戻り、それ以降の処理が繰り返される。
【０１５４】
以上のようにして、静止画像の一覧が表示されるので、操作者は、静止画像データ記録メディア１３に記録されている静止画像を閲覧し、所望の静止画像を、次に、図８を参照して後述するように、プリンタ１４で印刷したり、また、図１２を参照して後述するように、所望の静止画像に対応する画像から映像データを再生することもできる。
【０１５５】
次に、図８のフローチャートを参照して、映像録画再生装置１１の静止画像の印刷処理を説明する。
【０１５６】
例えば、操作者は、上述した図７のステップＳ７２において、静止画像（サムネイル画像）の一覧が表示されているときに、１枚の静止画像を選択して、映像録画再生装置１１の図示せぬモードスイッチを印刷モードに切り替える。または、図７のステップＳ７５において、静止画像が表示されているときに、映像録画再生装置１１の図示せぬモードスイッチを印刷モードに切り替える。
【０１５７】
これに対応して、入力部２４から印刷命令が発行され、映像録画再生装置１１の機能モードは、印刷モードに切り替わり、図８の処理が開始される。静止画像データ読出部３４は、静止画像データ記録メディア１３から選択された静止画像データを、静止画像データデコード部３５に転送する。
【０１５８】
ステップＳ９１において、静止画像データデコード部３５は、選択された静止画像データのEXIFを解析する。ステップＳ９２において、静止画像データデコード部３５は、EXIFデータに、静止画像の切り出し元の画像に関する情報（例えば、ＧＰＳ情報）を示す付加データがあるか否かを判定する。
【０１５９】
ステップＳ９２において、EXIFデータに付加データがあると判定された場合、処理は、ステップＳ９３に進む。ステップＳ９３において、静止画像データデコード部３５は、付加データを復号する。すなわち、静止画像データデコード部３５は、EXIFデータから、付加データを取り出し、静止画像データとともに印刷制御部３６に転送する。
【０１６０】
ステップＳ９４において、印刷制御部３６は、静止画像データデコード部３５より転送された付加データを、ＱＲコード、サイバーコードなどの２次元コード、または電子透かしとして静止画像データに埋め込む。ステップＳ９５において、印刷制御部３６は、付加データが埋め込まれた静止画像データを、接続されるプリンタ１４に転送して、写真台紙に対して印刷させる。
【０１６１】
一方、ステップＳ９２において、EXIFデータに付加データがないと判定された場合、処理は、ステップＳ９５に進み、静止画像のみが印刷される。
【０１６２】
図９は、静止画像が印刷されている写真の例を表している。図９の例においては、例えば、Ｌ版の写真台紙に対して上詰めで、例えば、縦横の比が１６：９で切り出された静止画像が印刷されている。
【０１６３】
そして、写真台紙の余白部分Ｅには、例えば、ＧＰＳ情報の日時情報と静止画像のタイトル「×××××××××」、そして、静止画像の切り出し元の画像に関する情報（ＧＰＳ情報）を表す２次元コードが印刷されている。
【０１６４】
このように、録画再生装置１１からの静止画像が１６：９で切り出された場合、普通のＬ版の写真台紙に印刷した場合に余白部分Ｅが生じてしまう。図９の例の場合、この余白部分Ｅに、２次元コードを印刷することで、余白を有効活用することができる。
【０１６５】
図１０は、静止画像が印刷されている写真の他の例を表している。図１０の例においては、１６：９の写真台紙に、例えば、縦横の比が１６：９で切り出された静止画像が印刷されており、静止画像上には、電子透かしとして、静止画像の切り出し元の画像に関する情報（ＧＰＳ情報）が重畳されて印刷されている。
【０１６６】
なお、図１０の例において、ＧＰＳ情報は電子透かしであるので、実際には肉眼では見ることができないが、説明の便宜上図示されている。
【０１６７】
すなわち、図１０の場合、ＧＰＳ情報が印刷されていても、静止画像を見るときのユーザの視界を邪魔することがない。
【０１６８】
なお、静止画像の切り出し元の画像に関する情報は、電子透かしや２次元コードに限らず、写真として印刷したときにメインの静止画像を見えにくくするものでなければ、どのような方法で印刷されてもよい。
【０１６９】
また、上記説明においては、切り出し元の画像に関する情報を静止画像に付加しておき、印刷時に画像に対して電子透かしや２次元コードとして埋め込みを行ったが、印刷時ではなく、静止画像の記録時に、切り出し元の画像に関する情報を、静止画像に直接電子透かしとして埋め込むことも可能である。
【０１７０】
次に、図１１のフローチャートを参照して、図９や図１０の写真を用いて実行される、静止画像による映像データ再生処理について説明する。図１１の例においては、図１０の電子透かしが埋め込まれた静止画像が印刷されている写真が用いられる例を説明する。
【０１７１】
例えば、操作者は、録画済みの映像を見ようと、映像録画再生装置１１を、図示せぬテレビジョン装置にHDMIケーブルで接続し、映像録画再生装置１１の図示せぬモードスイッチを静止画像による映像再生モードに切り替える。これに対応して、入力部２４から静止画像による映像再生命令が発行され、映像録画再生装置１１の機能モードは、静止画像による映像再生モードに切り替わり、図１１の処理が開始される。
【０１７２】
操作者は、以前に、図８を参照して上述したようにして印刷された写真を載せたアルバムを手元に持ち、映像（動画像）として見たい写真を検索し、再生したい映像に対応する写真が見つかったら、その写真に映像録画再生装置１１の撮像部２１を向ける。
【０１７３】
これに対応して、ステップＳ１１1において、撮像部２１は、被写体としての写真に対応する画像データを入力する。すなわち、撮像部２１は、撮像素子上に被写体の画像を結像させ、撮像素子上に蓄積された画像データを撮像データ格納部２２に転送する。この画像データは、映像データ受信部５１、および映像データ格納部５２を介して、映像データ信号処理部５７に転送される。
【０１７４】
ステップＳ１１２において、映像データ信号処理部５７は、写真に対応する画像データに、電子透かしがあるか否かを判定する。なお、２次元コードの場合には、ここで、写真に対応する画像データに、２次元コードがあるか否かが判定される。
【０１７５】
映像データ信号処理部５７は、ステップＳ１１２において、写真に対応する画像データに、電子透かしがあると判定した場合、この画像データを付加データデコード部６７に転送する。ステップＳ１１３において、付加データデコード部６７は、電子透かしを復号する。電子透かしが復号されたことで、写真に印刷されている静止画像の付加データ（すなわち、静止画像の切り出し元の映像に関する情報、例えば、ＧＰＳ情報）が取り出され、付加データは、映像データ読出部３１に転送される。
【０１７６】
ステップＳ１１４において、映像データ読出部３１は、映像データ記録メディア１２に記録されている映像データを検索し、電子透かしとして埋め込まれていた付加データに対応するフレームを検出する。
【０１７７】
例えば、付加データがＧＰＳ情報である場合について説明する。映像データ読出部３１は、図３のステップＳ１４などで埋め込まれたチャプタを検出する。そして、映像データ読出部３１は、チャプタのうち、チャプタ位置に存在するフレームのＧＰＳ情報が、付加データのＧＰＳ情報と一致した場合、そのチャプタ位置に存在するフレームが、付加データに対応するフレームであるとして検出する。
【０１７８】
なお、付加データは、ＧＰＳ情報のうちの日時情報または位置情報のどちらか一方だけであったり、単にチャプタ番号である場合もある。チャプタ番号の場合には、チャプタのうち、そのチャプタ番号を有するチャプタの位置に存在するフレームが、付加データに対応するフレームであるとして検出される。
【０１７９】
また、チャプタが埋め込まれていない場合には、付加データに対応するフレームが検出されるまで、全フレームのＧＰＳ情報が検索対象として、付加データに対応するフレームの検出処理が行われる。
【０１８０】
映像データ読出部３１は、ステップＳ１１５において、付加データに対応するフレームがあるか否かを判定し、付加データに対応するフレームがあると判定した場合、ステップＳ１１６において、付加データに対応するフレームから映像を再生する。
【０１８１】
すなわち、映像データ記録メディア１２に記録されている映像データは、付加データに対応するフレームから、映像データ読出部３１により読み出され、映像データデコード部３０においてデコードされて、映像データ受信部５１および映像データ格納部５２を介して、映像データ信号処理部５７に転送される。デコードされた映像データは、映像データ信号処理部５７により、映像データ格納部６１および映像データ送信部６４を介して、外部出力部２６に転送され、対応する映像が外部出力部２６を介して接続される、テレビジョン装置の表示部に表示される。
【０１８２】
これにより、ユーザにより選ばれた静止画像が切り出された瞬間、またはその数秒前のフレームから映像を再生することができる。
【０１８３】
操作者は、映像録画再生装置１１の図示せぬ再生終了ボタンを押す。これに対応して、入力部２４から静止画像による映像再生終了命令が発行される。
【０１８４】
ステップＳ１１７において、映像録画再生装置１１の対応する各部は、映像データの再生を終了するか否かを判定し、入力部２４からの静止画像による映像再生終了命令により、映像データの再生を終了すると判定した場合、映像データ再生処理を終了する。
【０１８５】
一方、映像再生終了命令が発行されず、ステップＳ１１７において、映像データの再生を終了しないと判定された場合、処理は、ステップＳ１１６に戻り、それ以降の処理が繰り返される。
【０１８６】
ステップＳ１１２において、写真に対応する画像データに、電子透かしがないと判定された場合、または、ステップＳ１１５において、付加データに対応するフレームがないと判定された場合、静止画像による映像データ再生処理は終了される。
【０１８７】
以上のように、静止画像を写真として印刷することで、静止画像を簡単に閲覧することができる。そして、写真の閲覧中に、その写真（静止画像）に対応する映像を見たいときには、写真を撮像すれば、映像録画再生装置１１においては、静止画像とともに電子透かしや２次元コードとして印刷された切り出し元の画像に関する情報が取得されて、それを基に、映像データの中から対応するフレームが検索されるので、その検索されたフレームから映像を再生することができる。
【０１８８】
すなわち、ユーザは、写真を撮像するだけで、所望の位置から映像を再生することができる。
【０１８９】
なお、静止画像を写真として印刷していなくても、静止画像データ記録メディア１３に記録されている静止画像を閲覧中に所望の静止画像を選択することで、選択された静止画像に対応するフレームの位置から、映像を再生することも可能である。
【０１９０】
次に、図１２のフローチャートを参照して、静止画像による映像再生処理の他の例について説明する。なお、図１２のステップＳ１３４乃至Ｓ１３７の処理は、図１１のステップＳ１１４乃至Ｓ１１７の処理と基本的に同様の処理を行うため、その詳細な説明は繰り返しになるので省略する。
【０１９１】
例えば、操作者は、上述した図７のステップＳ７２において、静止画像（サムネイル画像）の一覧が表示されているときに、１枚の静止画像を選択して、映像録画再生装置１１の図示せぬモードスイッチを静止画像による映像再生モードに切り替える。または、図７のステップＳ７５において、静止画像が表示されているときに、映像録画再生装置１１の図示せぬモードスイッチを静止画像による映像再生モードに切り替える。
【０１９２】
これに対応して、入力部２４から静止画像による映像再生命令が発行され、映像録画再生装置１１の機能モードは、静止画像による映像再生モードに切り替わり、図１２の処理が開始される。静止画像データ読出部３４は、静止画像データ記録メディア１３から選択された静止画像データを、静止画像データデコード部３５に転送する。
【０１９３】
ステップＳ１３１において、静止画像データデコード部３５は、選択された静止画像データのEXIFを解析する。ステップＳ１３２において、静止画像データデコード部３５は、EXIFデータに、静止画像の切り出し元の画像に関する情報（例えば、ＧＰＳ情報）を示す付加データがあるか否かを判定する。
【０１９４】
ステップＳ１３２において、EXIFデータに付加データがあると判定された場合、処理は、ステップＳ１３３に進む。ステップＳ１３３において、静止画像データデコード部３５は、付加データを復号する。復号された付加データ（すなわち、静止画像の切り出し元の映像に関する情報、例えば、ＧＰＳ情報）は、映像データ制御部２５を介して、映像データ読出部３１に転送される。
【０１９５】
ステップＳ１３４において、映像データ読出部３１は、映像データ記録メディア１２に記録されている映像データを検索し、静止画像に付加されていた付加データに対応するフレームを検出する。
【０１９６】
映像データ読出部３１は、ステップＳ１３５において、付加データに対応するフレームがあるか否かを判定し、付加データに対応するフレームがあると判定した場合、ステップＳ１３６において、付加データに対応するフレームから映像を再生する。
【０１９７】
ステップＳ１３７において、映像録画再生装置１１の対応する各部は、映像データの再生を終了するか否かを判定し、入力部２４からの静止画像による映像再生終了命令により、映像データの再生を終了すると判定した場合、映像データ再生処理を終了する。
【０１９８】
一方、映像再生終了命令が発行されず、ステップＳ１３７において、映像データの再生を終了しないと判定された場合、処理は、ステップＳ１３６に戻り、それ以降の処理が繰り返される。
【０１９９】
ステップＳ１３２において、静止画像のEXIFデータに、付加データがないと判定された場合、または、ステップＳ１３５において、付加データに対応するフレームがないと判定された場合、静止画像による映像データ再生処理は終了される。
【０２００】
以上のように、記録されている静止画像を選択するだけで、その静止画像から、切り出し元の画像に関する情報が取得されて、それを基に、映像データの中から対応するフレームが検索され、その検索されたフレームから映像を再生することができる。
【０２０１】
すなわち、ユーザは、静止画像を選択するだけで、所望の位置から映像を再生することができる。
【０２０２】
なお、上記説明においては、静止画像の切り出し時にチャプタを埋め込む例を説明したが、その代りに、映像データを、切り出し時またはその数秒前の位置で、ファイルとして分割することもできる。この場合、静止画像に付加された付加データに基づいて、映像ファイルに関連付けられた付加データと比較を行うことになる。なお、静止画像には、切り出し元の画像に関する情報として、ＧＰＳ情報だけでなく、分割されたファイル名を付加するようにしてもよい。
【０２０３】
さらに、別途データベースなどを用意して、映像データと静止画像データを関連付ける索引を作成し、映像側ではなく、静止画像自体に関する情報を電子透かしや２次元コードとして印刷を行う。印刷された静止画像を撮像し、電子透かしや２次元コードなどを復号して、静止画像自体に関する情報を読み出し、それをもとに静止画像に関連する映像データをデータベースから検索することも可能である。
【０２０４】
また、上記説明においては、映像録画再生装置１１で録画を行い、映像録画再生装置１１で再生を行う例を説明したが、例えば、記録した静止画像を、大容量のディスクメディアにコピーして友人などに贈る場合、同じチャプタ、位置情報、日時情報などを含む複数のディスクがあることも考えられ、その際には、静止画像と映像の関連が混乱してしまう恐れもある。
【０２０５】
この場合、記録を行った機器を示すデータ、もしくは機器間で独立なＩＤなどを、切り出し元の画像に関する情報とともに静止画像に付加するようにする。これにより、静止画像と映像の関連を保つことが可能である。なお、上述したＧＰＳ情報などのように、唯一無二の情報を、切り出し元の画像に関する情報として用いる場合には、録画を行った機器を示すデータなどを付加する必要はない。
【０２０６】
さらに、上記説明においては、１つの映像録画再生装置１１で撮像し記録した映像、静止画像を関連付けて、印刷した静止画像の写真に、映像データに関する情報を印刷し、それを読み取ることで、映像録画再生装置１１内の映像を検索するというように、１つの機器に閉じた例を説明したが、次に、映像録画再生装置１１の映像を、Blu-ray Discなどの光ディスクに記録を行う例を説明する。
【０２０７】
図１３は、本発明の他の実施形態に係る映像表示システムの構成例を示す図である。
【０２０８】
図１３の映像表示システムは、リモートコントローラ１０１、記録再生装置１０２、および表示装置１０３により構成されている。また、アルバム１０４には、図１の映像録画再生装置１１において記録された静止画像と、切り出し元の画像に関する情報としてのＧＰＳ情報が電子透かしなどとして印刷された写真１０５Ａ乃至１０５Ｄが閲覧可能に貼られている。
【０２０９】
リモートコントローラ１０１は、ユーザの操作信号に対応する電波を、記録再生装置１０２に向けて送信する。また、リモートコントローラ１０１は、写真１０５Ａ乃至１０５Ｄの電子透かしを読み取るための撮像部１７１（図１６）を備えており、所望の写真を撮像して、電子透かしを検出して、復号することでＧＰＳ情報を得る。リモートコントローラ１０１は、写真１０５Ａ乃至１０５Ｄのうちの所望の写真（例えば、写真１０５Ａ）から得られたＧＰＳ情報に対応する電波を、記録再生装置１０２に向けて送信する。
【０２１０】
記録再生装置１０２は、図示せぬ図１の映像録画再生装置１１により撮像、記録された映像データを、Blu-ray Discなどの映像データ記録メディア１１１（図１４）に記録を行う。その際、BD-J（Blu-ray Disc Java（登録商標））などが利用されて、映像データに付加されたＧＰＳ情報やチャプタなども記録される。
【０２１１】
記録再生装置１０２は、リモートコントローラ１０１からの電波を受け取ることで、写真１０５Ａから得られたＧＰＳ情報を取得する。記録再生装置１０２は、映像データ記録メディア１１１に記録されている、映像録画再生装置１１により撮像、記録された映像データの中から、取得したＧＰＳ情報と一致するＧＰＳ情報を有するフレームを検索して、検索されたフレームから、映像を再生し、再生した映像を、表示装置１０３に表示する。
【０２１２】
また、記録再生装置１０２も、図１の映像録画再生装置１１と同様に、映像データの記録または再生中に静止画像を記録したり、静止画像を閲覧したり、静止画像を印刷することが可能である。すなわち、記録再生装置１０２は、撮像機能とＧＰＳ機能がない点が異なるだけであり、その他の構成は、図１の映像録画再生装置１１と同様に構成される。
【０２１３】
表示装置１０３は、例えば、テレビジョン受像機などで構成され、接続される記録再生装置１０２からの映像を表示する。
【０２１４】
以上のように、ユーザは、アルバム１０４に貼られた写真１０５Ａ乃至１０５Ｄを見て、所望の写真をリモートコントローラ１０１で撮像（入力）するだけで、記録再生装置１０２において、その写真と同じ位置からの映像の再生を行うことができる。
【０２１５】
なお、図１３の例においては、映像録画再生装置１１により撮像、記録された映像データを、記録再生装置１０２で映像データ記録メディア１１１に記録する場合を説明したが、もちろん、映像録画再生装置１１により撮像された映像データが記録済みの映像データ記録メディア１２を記録再生装置１０２に装着しても、映像データを同様に再生することができる。
【０２１６】
図１４は、図１３の記録再生装置１０２の詳細な構成例を示す図である。なお、記録再生装置１０２には、映像データ記録メディア１１１や静止画像データ記録メディア１１２などが着脱可能であり、必要に応じてプリンタ１４が接続される。
【０２１７】
図１４の記録再生装置１０２は、撮像部２１、撮像データ格納部２２、およびＧＰＳデータ取得部２３が除かれた点、入力部２４および映像データ制御部２５の代わりに、入力部１２３および映像データ制御部１２５がそれぞれ追加された点、並びに、映像データ入力部１２１、映像データ格納部１２２、および無線受信部１２４が追加された点が、図１の映像録画再生装置１１と異なっている。
【０２１８】
また、記録再生装置１０２は、外部出力部２６、表示部２７、映像データエンコード部２８、映像データ記録部２９、映像データデコード部３０、映像データ読出部３１、静止画像データエンコード部３２、静止画像データ記録部３３、静止画像データ読出部３４、静止画像データデコード部３５、および印刷制御部３６を備える点が、図１の映像録画再生装置１１と共通している。なお、図１４の外部出力部２６には、表示装置１０３が接続されている。
【０２１９】
すなわち、映像データ入力部１２１は、接続される映像録画再生装置１１により撮像、記録され、例えば、ＧＰＳ情報が付加されている映像データを入力し、映像データ格納部１２２に転送する。映像データ格納部１２２は、例えば、半導体メモリなどで構成され、映像データ入力部１２１から入力される画像データの複数画像分（複数フレーム分）を一時記憶する。
【０２２０】
入力部１２３は、操作者からの指示入力、または、無線受信部１２４からの指示内容を受けて、受け付けた指示内容をデコードし、各種命令や情報を、対応する映像データ制御部１２５、映像データ読出部３１、静止画像データ読出部３４、または印刷制御部３６に転送する。
【０２２１】
無線受信部１２４は、リモートコントローラ１０１からの電波を受信し、電波に対応する指示内容や情報を入力部１２３に転送する。
【０２２２】
映像データ制御部１２５は、映像データ格納部１２２より転送された映像データ、映像データデコード部３０より転送された映像データ、または、静止画像データデコード部３５より転送された静止画像データに所定の画像処理を行い、その後、外部出力部２６または表示部２７に転送する。
【０２２３】
入力部１２３より映像記録命令を受け取った場合、映像データ制御部１２５は、映像データ格納部１２２からの映像データに所定の画像処理を行った後、映像データエンコード部２８に転送する。また、入力部１２３より映像記録終了命令を受け取った場合、映像データ制御部１２５は、映像データエンコード部２８への映像データの転送を終了する。
【０２２４】
入力部１２３より静止画像切り出し命令を受信した場合、映像データ制御部１２５は、映像データから、静止画像を取得する。すなわち、映像データ制御部１２５は、映像データから、静止画像切り出し命令を受けた瞬間の画像を静止画像として切り出す。また、映像データ制御部１２５は、静止画像として切り出された（切り出し元の）画像を特定するための画像に関する情報を、静止画像データエンコード部３２に送信する。
【０２２５】
図１５は、図１４の映像データ制御部１２５の詳細な構成例を表している。
【０２２６】
図１４の映像データ制御部１２５は、映像データ信号処理部５７および付加データ抽出部６０の代わりに、映像データ信号処理部１５１および付加データ抽出部１５２がそれぞれ追加された点、ＧＰＳデータ受信部５３、ＧＰＳデータ格納部５４、および付加データデコード部６７が除かれた点が図２の映像データ制御部２５と異なっている。
【０２２７】
また、図１４の映像データ制御部１２５は、映像データ受信部５１、映像データ格納部５２、入力データ受信部５５、入力データ格納部５６、チャプタ情報埋込部５８、静止画像データ切り出し部５９、映像データ格納部６１乃至６３、映像データ送信部６４乃至６６、静止画像データ格納部６８、静止画像データ送信部６９、付加データ格納部７０、および付加データ送信部７１を備える点が図２の映像データ制御部２５と共通している。
【０２２８】
すなわち、映像データ信号処理部１５１は、映像データ格納部５２からの映像データを、解像度変換や補正など、データ出力先に応じた所定の画像信号処理を行い、対応する映像データ格納部６１乃至６３に転送する。また、映像データ信号処理部１５１は、チャプタ情報埋込部５８よりチャプタ埋め込み命令を受信した場合、指定された映像のタイミングにチャプタを埋め込む。
【０２２９】
付加データ抽出部１５２は、入力データ格納部５６より静止画像切り出し命令を受信した場合、映像データ格納部５２より、静止画像切り出し命令を受信した瞬間、もしくは数秒手前のＧＰＳ情報を、静止画像データに付加するデータ（静止画像の切り出し元の画像を特定するための画像に関する情報）として受け取る。
【０２３０】
図１６は、図１３のリモートコントローラ１０１の一部の構成例を表している。図１６の例においては、操作ボタンなどで構成される操作部などの図示は省略されている。
【０２３１】
図１６のリモートコントローラ１０１は、撮像部１７１、撮像データ格納部１７２、電子透かし検出部１７３、電子透かしデコード部１７４、および無線送信部１７５により構成されている。
【０２３２】
撮像部１７１は、内蔵するCCDやCMOSセンサなどの撮像素子上に被写体の画像を結像させ、撮像素子上に蓄積された画像データを撮像データ格納部１７２に転送する。撮像データ格納部１７２は、例えば、半導体メモリなどで構成され、撮像部１７１から入力される画像データを一時記憶する。
【０２３３】
電子透かし検出部１７３は、撮像データ格納部１７２からの画像データに電子透かしがあれば、それを検出する。電子透かしデコード部１７４は、電子透かし検出部１７３からの映像データ内に含まれる電子透かしを復号する。これにより、静止画像が印刷され、その印刷物（写真）が撮像部２１により撮影されたものである映像データから、静止画像の切り出し先の画像に関する情報が取得される。
【０２３４】
無線送信部１７５は、電子透かしデコード部１７４により復号された静止画像の切り出し先の画像に関する情報（例えば、ＧＰＳ情報）に対応する電波を送信する。
【０２３５】
なお、図１６の例の場合、電子透かしの例を説明したが、ＱＲコード、サイバーコードなどの２次元コードの場合も同様に処理される。
【０２３６】
次に、上述した図３のフローチャートを再度参照して、記録再生装置１０２の映像データ記録処理について説明する。なお、この処理は、上述した映像録画再生装置１１の映像データ記録処理と基本的に同様であるため、その詳細な説明は省略する。
【０２３７】
操作者は、例えば、図１の映像録画再生装置１１をUSB(Universal Serial Bus)のような有線接続、または、UWB(Ultra Wide Band)のような無線接続で接続を行い、映像録画再生装置１１で映像を再生を行い、その後、記録再生装置１０２の図示せぬ録画開始ボタンを押す。これに対応して、入力部１２３から映像記録命令が発行され、記録再生装置１０２の機能モードは、映像記録モードに切り替わり、図３の処理が開始される。
【０２３８】
入力部１２３からの映像記録命令により、ステップＳ１１において、記録再生装置１０２の対応する各部は、映像データ入力部１２１からの映像データを映像データ記録メディア１１１に記録する。
【０２３９】
すなわち、映像データ入力部１２１により入力され、映像データ格納部１２２に格納された映像データが映像データ受信部５１に受信され、映像データ格納部５２を介して、映像データ信号処理部１５１に転送される。この映像データは、映像データ信号処理部１５１から、さらに、映像データ格納部６３、映像データ送信部６６を介して、映像データエンコード部２８に転送され、符号化され、映像データ記録部２９に転送され、映像データ記録メディア１１１に記録される。このとき、映像データには、ＧＰＳ情報が付加されている。
【０２４０】
操作者は、記録再生装置１０２の図示せぬ録画終了ボタンを押す。これに対応して、入力部１２３から映像記録終了命令が発行される。
【０２４１】
ステップＳ１２において、記録再生装置１０２の対応する各部は、映像データの記録を終了するか否かを判定し、入力部１２３からの映像記録終了命令により、映像データの記録を終了すると判定した場合、映像データ記録処理を終了する。
【０２４２】
一方、映像記録終了命令が発行されず、ステップＳ１２において、映像データの記録を終了しないと判定された場合、処理は、ステップＳ１３に進み、静止画像の記録を行うか否かが判定される。静止画像切り出し命令が発行されず、ステップＳ１３において、静止画像の記録を行わないと判定された場合、処理は、ステップＳ１１に戻り、それ以降の処理が繰り返される。
【０２４３】
また、操作者は、録画中に気に入った場面があり、その場面を静止画像として撮ろうと、映像録画再生装置１１の図示せぬ静止画像取得用シャッターボタンを押す。なお、この静止画像取得用シャッターボタンは、リモートコントローラ１０１に備えられていてもよい。これに対応して、入力部１２３から静止画像切り出し命令が発行される。
【０２４４】
入力部１２３からの静止画像切り出し命令は、入力データ受信部５５および入力データ格納部５６を介して、チャプタ情報埋込部５８、静止画像データ切り出し部５９、および付加データ抽出部１５２に転送される。
【０２４５】
ステップＳ１３において静止画像の記録を行うと判定された場合、処理は、ステップＳ１４に進む。ステップＳ１４において、チャプタ情報埋込部５８は、静止画像切り出し命令が発行された瞬間、もしくはその数秒手前の映像データに対して、チャプタを埋め込む。
【０２４６】
具体的には、チャプタ情報埋込部５８は、映像データ信号処理部１５１に対して、静止画像切り出し命令を受信した瞬間、もしくは数秒手前の映像データに対してチャプタを埋め込むように、チャプタ埋め込み命令を送信する。これに対応して、映像データ信号処理部１５１は、チャプタ情報埋込部５８よりチャプタ埋め込み命令を受信した場合、指定された映像のタイミングにチャプタを埋め込む。
【０２４７】
ステップＳ１５において、静止画像データ切り出し部５９は、静止画像切り出し命令を受信した瞬間の映像信号１フレームを静止画像として切り出す。切り出された静止画像データは、静止画像データ格納部６８および静止画像データ送信部６９を介して、静止画像データエンコード部３２に転送される。
【０２４８】
ステップＳ１６において、付加データ抽出部１５２は、ステップＳ１５において切り出された静止画像の切り出し元の画像に関する情報を取得する。すなわち、付加データ抽出部１５２は、映像データ格納部５２より、静止画像切り出し命令を受信した瞬間、もしくは数秒手前のＧＰＳ情報を、静止画像データに付加するデータ（静止画像の切り出し元の画像に関する情報）として取得する。なお、映像データにＧＰＳ情報が付加されていないとき、映像データに付加された時間情報が取得される。あるいは、図５を参照して上述したように、チャプタ埋め込み命令を発行する際に発行可能なチャプタ番号であってもよい。
【０２４９】
取得されたＧＰＳ情報は、付加データ格納部７０および付加データ送信部７１を介して、静止画像データエンコード部３２に転送される。
【０２５０】
ステップＳ１７において、静止画像データエンコード部３２は、ＧＰＳ情報をEXIF形式に変換して、静止画像データに付加し、ＧＰＳ情報が付加された静止画像データを、静止画像データ記録メディア１１２に記録する。その後、処理は、ステップＳ１１に戻り、それ以降の処理が繰り返される。
【０２５１】
次に、上述した図１１のフローチャートを再度参照して、記録再生装置１０２の静止画像による映像再生処理について説明する。なお、この処理は、上述した映像録画再生装置１１の静止画像による映像再生処理と基本的に同様であるため、その詳細な説明は省略する。
【０２５２】
例えば、操作者は、録画済みの映像を見ようと、記録再生装置１０２を、表示装置１０３にHDMIケーブルで接続し、記録再生装置１０２の図示せぬモードスイッチを静止画像による映像再生モードに切り替える。これに対応して、入力部１２３から静止画像による映像再生命令が発行され、記録再生装置１０２の機能モードは、静止画像による映像再生モードに切り替わり、図１１の処理が開始される。
【０２５３】
操作者は、以前に、図８を参照して上述したようにして印刷された写真を載せたアルバム１０４を手元に持ち、映像（動画像）として見たい写真１０５Ａ乃至１０５Ｄを検索し、再生したい映像に対応する写真１０５Ｂが見つかったら、その写真１０５Ｂにリモートコントローラ１０１の撮像部１７１を向ける。
【０２５４】
これに対応して、ステップＳ１１１において、撮像部２１は、被写体としての写真に対応する画像データを入力する。すなわち、撮像部２１は、撮像素子上に被写体の画像を結像させ、撮像素子上に蓄積された画像データを撮像データ格納部１７２に転送する。撮像データ格納部１７２は、画像データを電子透かし検出部１７３に転送する。
【０２５５】
ステップＳ１１２において、電子透かし検出部１７３は、写真に対応する画像データに、電子透かしがあるか否かを判定する。なお、２次元コードの場合には、ここで、写真に対応する画像データに、２次元コードがあるか否かが判定される。
【０２５６】
電子透かし検出部１７３は、ステップＳ１１２において、写真に対応する画像データに、電子透かしがあると判定した場合、この画像データを電子透かしデコード部１７４に転送する。ステップＳ１１３において、電子透かしデコード部１７４は、電子透かしを復号する。電子透かしが復号されたことで、写真に印刷されている静止画像の付加データ（すなわち、静止画像の切り出し元の映像に関する情報、例えば、ＧＰＳ情報）が取り出され、付加データは、無線送信部１７５に転送される。無線送信部１７５は、静止画像の付加データを電波にして、記録再生装置１０２に向けて送信する。
【０２５７】
記録再生装置１０２の無線受信部１２４は、静止画像の付加データに対応するフレームを検索する指示を入力部１２３に対して発行する。これに対応して、入力部１２３は、映像データ読出部３１に対してフレーム検索命令を出す。
【０２５８】
ステップＳ１１４において、映像データ読出部３１は、映像データ記録メディア１２に記録されている映像データを検索し、電子透かしとして埋め込まれていた付加データに対応するフレームを検出する。
【０２５９】
映像データ読出部３１は、ステップＳ１１５において、付加データに対応するフレームがあるか否かを判定し、付加データに対応するフレームがあると判定した場合、ステップＳ１１６において、付加データに対応するフレームから映像を再生する。
【０２６０】
すなわち、映像データ記録メディア１１１に記録されている映像データは、付加データに対応するフレームから、映像データ読出部３１により読み出され、映像データデコード部３０においてデコードされて、映像データ受信部５１および映像データ格納部５２を介して、映像データ信号処理部１５１に転送される。デコードされた映像データは、映像データ信号処理部１５１により、映像データ格納部６１および映像データ送信部６４を介して、外部出力部２６に転送される。これにより、対応する映像が、外部出力部２６を介して接続される表示装置１０３の表示部に表示される。
【０２６１】
操作者は、記録再生装置１０２の図示せぬ再生終了ボタンを押す。これに対応して、入力部１２３から静止画像による映像再生終了命令が発行される。
【０２６２】
ステップＳ１１７において、記録再生装置１０２の対応する各部は、映像データの再生を終了するか否かを判定し、入力部１２３からの静止画像による映像再生終了命令により、映像データの再生を終了すると判定した場合、映像データ再生処理を終了する。
【０２６３】
一方、映像再生終了命令が発行されず、ステップＳ１１７において、映像データの再生を終了しないと判定された場合、処理は、ステップＳ１１６に戻り、それ以降の処理が繰り返される。
【０２６４】
ステップＳ１１２において、写真に対応する画像データに、電子透かしがないと判定された場合、または、ステップＳ１１５において、付加データに対応するフレームがないと判定された場合、静止画像による映像データ再生処理は終了される。
【０２６５】
なお、記録再生装置１０２のその他の処理は、それぞれ、図５を参照して上述した映像録画再生装置１１の映像データ再生処理、図６を参照して上述した映像録画再生装置１１の待機時チャプタの埋め込み処理、図７を参照して上述した映像録画再生装置１１の静止画像データ再生処理、図８を参照して上述した映像録画再生装置１１の静止画像の印刷処理、並びに、図１２を参照して上述した静止画像による映像再生処理と基本的に同様であるので、その説明は省略する。
【０２６６】
以上のように、電子透かしや２次元コードが埋め込まれた静止画像の写真をリモートコントローラ１０１で撮像して、電子透かしなどが復号されたデータを送信するだけで、映像を所望の位置から再生することができる。
【０２６７】
例えば、孫の運動会の映像を編集することなく、図３を再参照して上述したように光ディスクなどに記録し、それと同時に、静止画像を記録し、図８を参照して上述したように写真を印刷し、写真を綴ったアルバムと光ディスクとを祖父母にプレゼントする。祖父母が、例えば、機械にあまり強くなかったとしても、光ディスクを記録再生装置１０２に挿入し、あとは、アルバムを見て、気に入った写真を見つけた場合に、その写真を、リモートコントローラ１０１の撮像部１７１によって読み取るだけの簡単な操作で、所望の位置からの映像を再生させて、視聴することが可能になる。
【０２６８】
なお、図１３の映像表示システムにおいては、記録再生装置１０２の専用のリモートコントローラ１０１に、電子透かしリーダーとしての撮像部１７１が付いている。したがって、静止画像に埋め込まれた電子透かしをリモートコントローラ１０１で読み取り、記録再生装置１０２に送信することで、記録再生装置１０２において、所望の位置から映像を再生するようにしたが、リモートコントローラ１０１に撮像部１７１がない場合もある。この場合には、撮像機能付きの携帯電話機に、図１１のステップＳ１１１乃至Ｓ１１３を行わせ、デコードした付加データの情報は、無線LAN(Local Area Network)や赤外線などによって、記録再生装置１０２に送信させることができる。
【０２６９】
以上においては、図１のカムコーダなどの映像録画再生装置１１および光ディスクに記録再生する図１３の映像表示システムの例を説明したが、本発明は、さらには、メディアサーバなどの動画共有サービスに映像を送り、その映像を検索する場合にも適用することができる。
【０２７０】
具体的には、メディアサーバなどに映像データを送信するときに、ＧＰＳ情報などの付加情報も付加した状態で送信して、静止画像とともに写真に印刷された付加データ（ＧＰＳ情報）と同じフレームを全て探すか、もしくは、メディアサーバに記録する際のディレクトリ構成や動画共有サイトにアップロードするURL (Uniform Resource Locator)に付加データを利用することも可能である。
【０２７１】
例えば、「1999年1月1日12時31分の緯度37度00、経度137度124」の付加データを有する映像データをメディアサーバに記録する場合には、「/HOME/1999/01/01/12/31/37/00/137/124」のディレクトリに記録する。あるいは、動画共有サイトにアップロードする場合には、そのURLを「http://kyouyuu.co.jp/HOME/1999_01_01_12_31_37_00_137_124」などにする。これにより、メディアサーバなどの動画共有サービスから映像を、簡単に検索することができるようになる。
【０２７２】
以上のように、映像データの中から静止画像を切り出したときに、静止画像の切り出し元の画像に関する情報を、静止画像に付加するようにしたので、膨大な映像の記録の中から自分が見たい映像を見つけることができる。
【０２７３】
すなわち、近年、小型のビデオカメラにおいては、HDD(Hard Disk Drive)容量が大きくなっており、高画質な動画像を長時間撮ったり、静止画像を数多く撮ることが可能となっている。
【０２７４】
また、動画像を撮影中であっても、この場面を写真でも残したいと思った際に、シャッターボタンを押すことで動画像を撮影しながら静止画像も残すといった機能や、動画像を撮影し、後日、その動画像を閲覧中にこの場面を写真でも残したいと思った際に、シャッターボタンを押すことでその場面を静止画像で残すといった機能が搭載されているビデオカメラも多くなってきている。
【０２７５】
以上のように、今後、ますますビデオカメラの小型化、大容量化が進み、さらに長時間の動画像や多くの静止画像が記録されて残されることが期待される。その際、撮影され、記録された長時間の動画像や多くの静止画像の整理や検索が必要となってくる。
【０２７６】
一般的に静止画像は、ある特定の一瞬のみの時間を切り出すだけなので、撮影した場所にいなかった人でも、比較的素早く自分のペースで閲覧可能であり、自分の気に入った写真をプリンタで印刷して、アルバムに貼り付け、簡単に整理を行うことができる。
【０２７７】
しかしながら、動画像は、閲覧するのに撮影時間と同等の時間がかかり、多くの部分に重要ではない部分が含まれており、特に撮像した場所にいなかった人は、どの場面にポイントがあるのかを見つけ出すことが困難なため、撮影者、もしくは撮影場所に同行したものが編集を加えることで、見やすくする必要がある。ただし、その編集が困難で面倒であり、動画像は撮影したが、見ないといったことが多々存在する。
【０２７８】
動画像は周囲の音声や、撮影対象の動きから静止画像以上に多くの情報が得られるため、その場の様子をよりリアルに伝えることができるので、撮影したが見ないといった状況はもったいない。近年は、映像のポイントを顔認識などの技術を駆使し、自動で編集してくれるようなパーソナルコンピュータのソフトウエアも存在するが、パーソナルコンピュータやデジタル機器の操作が苦手な人には敷居が高い。また、例えば、見に行けなかった孫の運動会の動画を見てもらう場合、編集したものだけでなく、見たいとしても撮ったものをすべてもらいたいとも思ってしまう。
【０２７９】
上述したように、本発明においては、映像撮影中または再生中に記録した静止画像に、その場面の映像に関する情報、すなわち、その場面を頭出しするための付加データが付加される。
【０２８０】
静止画像を記録する（残す）部分というのは、ユーザ側としては特に思い出に残したいポイントであり、重要度が高い場面である。その静止画像を印刷し、アルバムなどでまとめるだけで、映像再生のインデックスを持つことができる。ユーザは、そのアルバムを閲覧し、気にいった静止画像を選択して、撮影するだけで、静止画像から電子透かしなどで埋め込まれた、静止画像の切り出し元の画像に関する情報を取得し、それにより、その場面の映像を再生することができる。
【０２８１】
以上のように、本発明によれば、パーソナルコンピュータやデジタル機器の操作に乏しい人でも、アルバムから写真を選択するというこれまでと同様の手軽さで、膨大な映像の中から、見たいポイントを探して再生することが可能になる。
【０２８２】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされ
【０２８３】
図１７は、上述した一連の処理をプログラムにより実行するコンピュータのハードウエアの構成例を示すブロック図である。
【０２８４】
CPU(Central Processing Unit)２０１、ROM(Read Only Memory)２０２、RAM(Random Access Memory)２０３は、バス２０４により相互に接続されている。
【０２８５】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、光ディスクや半導体メモリなどのリムーバブルメディア２１１を駆動するドライブ２１０が接続されている。
【０２８６】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０２８７】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０２８８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２８９】
また、本明細書において、システムとは、複数の装置により構成される装置全体を表すものである。
【０２９０】
本発明の実施の形態は、上述した実施の形態に限定されるものではなく、本発明の要旨を逸脱しない範囲において種々の変更が可能である。
【図面の簡単な説明】
【０２９１】
【図１】本発明の一実施形態に係る映像録画再生装置の構成例を示すブロック図である。
【図２】映像データ制御部の詳細な構成例を示すブロック図である。
【図３】映像データ記録処理を説明するフローチャートである。
【図４】図３のステップＳ１４乃至Ｓ１７の処理を説明する図である。
【図５】映像録画再生装置の映像データ再生処理を説明するフローチャートである。
【図６】待機時チャプタ埋め込み処理を説明するフローチャートである。
【図７】静止画像データの再生処理を説明するフローチャートである。
【図８】静止画像の印刷処理を説明するフローチャートである。
【図９】静止画像が印刷されている写真の例を示す図である。
【図１０】静止画像が印刷されている写真の他の例を示す図である。
【図１１】静止画像による映像データ再生処理を説明するフローチャートである。
【図１２】静止画像による映像データ再生処理の他の例を説明するフローチャートである。
【図１３】本発明の他の実施形態に係る映像表示システムの構成例を示す図である。
【図１４】記録再生装置の構成例を示すブロック図である。
【図１５】映像データ制御部の詳細な構成例を示すブロック図である。
【図１６】リモートコントローラの構成例を示すブロック図である。
【図１７】コンピュータのハードウエアの構成例を示すブロック図である。
【符号の説明】
【０２９２】
１１  映像録画再生装置，  １４  プリンタ，  ２１  撮像部，  ２３  ＧＰＳデータ取得部，  ２５  映像データ制御部，  ２８  映像データエンコード部，  ２９  映像データ記録部，  ３０  映像データデコード部，  ３１  映像データ読出部，  ３２  静止画像データエンコード部，  ３３  静止画像データ記録部，  ３４  静止画像データ読出部，  ３５  静止画像データデコード部，  ３６  印刷制御部，  ５７  映像データ信号処理部，  ５８  チャプタ情報埋込部，  ５９  静止画像データ切り出し部，  ６０  付加データ抽出部，  ６７  付加データデコード部，  １０１  リモートコントローラ，  １０２  記録再生装置，  １２４  無線受信部，  １２５  映像データ制御部，  １５１  映像データ信号処理部，  １５２  付加データ抽出部，１７１  撮像部，  １７３  電子透かし検出部，  １７４  電子透かしデコード部，  １７５  無線送信部
【図１】
2010034763.tif 000003
【図２】
2010034763.tif 000004
【図３】
2010034763.tif 000005
【図４】
2010034763.tif 000006
【図５】
2010034763.tif 000007
【図６】
2010034763.tif 000008
【図７】
2010034763.tif 000009
【図８】
2010034763.tif 000010
【図９】
2010034763.tif 000011
【図１０】
2010034763.tif 000012
【図１１】
2010034763.tif 000013
【図１２】
2010034763.tif 000014
【図１３】
2010034763.tif 000015
【図１４】
2010034763.tif 000016
【図１５】
2010034763.tif 000017
【図１６】
2010034763.tif 000018
【図１７】
2010034763.tif 000019